(57)【特許請求の範囲】
【請求項１】
長尺板状の断熱材と該断熱材の表面を覆う面材とを有する複数枚の断熱パネルを長尺方向に隣接させて屋根に敷設する断熱パネル敷設方法であって、
第１の断熱パネルを長尺方向が屋根の傾斜方向に向くように敷設する工程と、
第２の断熱パネルの断熱材を長尺方向一端側から他端側へ向かって所定長さだけ除去して、面材の長尺方向一端側が断熱材の端縁よりも延出した延出部を形成する工程と、
第２の断熱パネルの延出部を第１の断熱パネルに重ねる際に延出部と干渉する第１の断熱パネルの干渉部を圧縮する工程と、
第２の断熱パネルの延出部を第１の断熱パネルに重ねるようにして、第１の断熱パネルより傾斜方向上側に第２の断熱パネルを敷設する工程と、を有し、
前記面材は、幅方向に沿って形成された少なくとも２つの波型形状部と、隣り合う波型形状部の対向する各端部から垂直方向に立ち上がる又は互いに近付く方向に傾斜しながら立ち上がる一対の立ち上がり部と、各立ち上がり部の先端から互いに離れる方向に延びる一対の拡大部と、を備えており、
前記延出部が重なる領域において、前記一対の拡大部の間隔が前記一対の立ち上がり部の間隔よりも狭くなるように前記一対の拡大部を圧縮することを特徴とする断熱パネル敷設方法。
【請求項２】
前記一対の拡大部を圧縮する前に、立ち上がり部に繋がる前記波型形状部とその波型形
状部に接着されている前記断熱材とを剥離することを特徴とする請求項１に記載の断熱パ
ネル敷設方法。
【発明の詳細な説明】
【技術分野】
【０００１】
本発明は、複数枚の断熱パネルを長尺方向に隣接させて屋根に敷設する断熱パネル敷設方法に関する。
【背景技術】
【０００２】
建築物の外壁材や屋根材として、長尺板状の断熱パネルが広く用いられている。断熱パネルとしては、例えば、クラフト紙などの紙材や鋼板により形成された上面材と下面材により硬質ポリウレタンフォームをサンドイッチした構造のものが知られている。このような断熱パネルは、帯状の断熱パネルを成形した後、所望の長さに切断することで製造される。（下記特許文献１，２など参照）。
【０００３】
ところで、以前から大型建築物の屋根材として断熱パネルを用いたいという要求があったが、断熱パネルの長さは製造ラインの関係で制限があり、これまでの断熱パネルでは長さが足りず、大型建築物の屋根に対応できなかった。また、断熱パネルを長くし過ぎるとトラック等による運搬も困難となるという問題もある。
【０００４】
そのため、複数枚の断熱パネルを長尺方向に隣接させて屋根に敷設して大型建築物の屋根を施工することが考えられてきた。しかしながら、複数の断熱パネルをそのまま突き合わせて接続して屋根に敷設すると、その接続部分から漏水して不具合が発生するおそれがあった。
【先行技術文献】
【特許文献】
【０００５】
【特許文献１】特開２００２−３６３２３６号公報
【特許文献２】特開２００５−１７８１３６号公報
【発明の概要】
【発明が解決しようとする課題】
【０００６】
本発明は、このような課題に着目してなされたものであって、その目的は、長尺板状の断熱パネルを長尺方向に複数枚隣接させて屋根に敷設する場合に、隣り合う断熱パネルの接続部分での漏水の発生を防ぐことができる断熱パネル敷設方法を提供することである。
【課題を解決するための手段】
【０００７】
上記目的は、下記の如き本発明により達成できる。      
即ち、本発明の断熱パネル敷設方法は、長尺板状の断熱材と該断熱材の表面を覆う面材とを有する複数枚の断熱パネルを長尺方向に隣接させて屋根に敷設する断熱パネル敷設方法であって、
第１の断熱パネルを長尺方向が屋根の傾斜方向に向くように敷設する工程と、
第２の断熱パネルの断熱材を長尺方向一端側から他端側へ向かって所定長さだけ除去して、面材の長尺方向一端側が断熱材の端縁よりも延出した延出部を形成する工程と、
第２の断熱パネルの延出部を第１の断熱パネルに重ねる際に延出部と干渉する第１の断熱パネルの干渉部を圧縮する工程と、
第２の断熱パネルの延出部を第１の断熱パネルに重ねるようにして、第１の断熱パネルより傾斜方向上側に第２の断熱パネルを敷設する工程と、を有するものである。
【０００８】
この構成によれば、第２の断熱パネルの断熱材を部分的に除去することで形成された面材の延出部を第１の断熱パネルに重ねるようにして、第２の断熱パネルを敷設することができる。このとき、第２の断熱パネルは、第１の断熱パネルより傾斜方向上側に敷設されるので、第１の断熱パネルと第２の断熱パネルとの接続部分、より具体的には第１の断熱パネルの断熱材と第２の断熱パネルの断熱材との接続部分が、第２の断熱パネルの面材の延出部により覆われることとなる。したがって、長尺板状の断熱パネルを長尺方向に複数枚隣接させて屋根に敷設する場合に、隣り合う断熱パネルの接続部分での漏水の発生を防ぐことができる。
【０００９】
本発明の断熱パネル敷設方法において、前記面材は、幅方向に沿って形成された少なくとも２つの波型形状部と、隣り合う波型形状部の対向する各端部から垂直方向に立ち上がる又は互いに近付く方向に傾斜しながら立ち上がる一対の立ち上がり部と、各立ち上がり部の先端から互いに離れる方向に延びる一対の拡大部と、を備えており、前記延出部が重なる領域において、前記一対の拡大部の間隔が前記一対の立ち上がり部の間隔よりも狭くなるように前記一対の拡大部を圧縮することが好ましい。
【００１０】
面材が一対の立ち上がり部と一対の拡大部を備える場合、第２の断熱パネルの延出部を第１の断熱パネルの面材に重ねる際に、第１の断熱パネルの拡大部が第２の断熱パネルの立ち上がり部と干渉する。そのため、第２の断熱パネルの延出部が重なる領域において、一対の拡大部の間隔が一対の立ち上がり部の間隔よりも狭くなるように一対の拡大部を圧縮することで、第１の断熱パネルの拡大部が第２の断熱パネルの立ち上がり部と干渉しなくなる。これにより、第１の断熱パネルの面材と第２の断熱パネルの面材との隙間を無くして、漏水の発生を効果的に防ぐことができる。
【００１１】
本発明の断熱パネル敷設方法において、前記一対の拡大部を圧縮する前に、立ち上がり部に繋がる前記波型形状部とその波型形状部に接着されている前記断熱材とを剥離することが好ましい。
【００１２】
一対の拡大部を圧縮する際、一対の拡大部に挟まれた断熱材も圧縮されて、その近傍の断熱材にも力が加わり、面材が膨らんだり、割れたりする不具合が生じることがある。一対の拡大部を圧縮する前に、立ち上がり部に繋がる波型形状部とその波型形状部に接着されている断熱材とを剥離することで、拡大部を圧縮した際の力が面材に直接加わらなくなるため、面材が膨らんだり、割れたりする不具合を防止できる。
【図面の簡単な説明】
【００１３】
【図１】断熱パネルの構造を示す図
【図２】断熱パネルの一部を拡大して示す断面図
【図３】大型の建築物の一例を示す斜視図
【図４】断熱パネルを屋根に敷設する工程図
【図５】断熱パネルの干渉部を圧縮する工程を説明する図
【発明を実施するための形態】
【００１４】
本発明に係る断熱パネル敷設方法の好適な実施形態を図面を用いて説明する。初めに断熱パネルの構成について説明する。
【００１５】
＜断熱パネルの構成＞
図１は、断熱パネルの構造例を示す図であり、正面図、側面図、及びＡ−Ａ断面図である。断熱パネルＰは図１に示すように、長尺板状の硬質ウレタンフォーム１（断熱材の一例）と、この硬質ウレタンフォーム１の表面を覆う面材２とを有している。面材２は、鋼板である。断熱パネルＰは、硬質ウレタンフォーム１の裏面を覆う面材３をさらに有している。面材３は、面材２と同様に鋼板でもよいが、アルミクラフト紙などの紙材、ＦＲＰ等でもよい。
【００１６】
一方の面材２は、幅方向に沿って形成された少なくとも２つの波型形状部２１と、波型形状部２１に隣接する嵌合部２２とを備える。嵌合部２２は、ビス等の固定具により下地へ固定される部分である。図１の波型形状部２１は、角波形状となっている。波型形状部２１は、山部と谷部とが幅方向に交互に並んでおり、山頂部２１ｂと、谷底部２１ｃと、山頂部２１ｂから谷底部２１ｃに向かって傾斜して延びる傾斜部２１ｄとで構成されている。
【００１７】
図２は、断熱パネルＰの一部を拡大して示す断面図である。嵌合部２２は、隣り合う波型形状部２１の対向する各端部２１ａから垂直方向に立ち上がる又は互いに近付く方向に傾斜しながら立ち上がる一対の立ち上がり部２４と、各立ち上がり部２４の先端２４ａから延びる一対の拡大部２５と、を備えている。本実施形態の立ち上がり部２４は、隣り合う波型形状部２１の対向する各端部２１ａから互いに近付く方向に傾斜しながら立ち上がっている。また、本実施形態の拡大部２５は、各立ち上がり部２４の先端２４ａから互いに離れる方向に傾斜しながら延びている。なお、拡大部２５は、各立ち上がり部分２４の先端２４ａから互いに離れるように水平方向に延びていてもよい。
【００１８】
また、嵌合部２２は、拡大部２５の先端２５ａから互いに近付く方向に傾斜しながら延びる一対の先細部２６を備え、一対の先細部２６の間には、凹溝２７が設けられている。凹溝２７は、断熱パネルＰを固定するためにビスが打ち込まれた際、ビスの頭が収容される空間である。
【００１９】
断熱パネルＰの一端側には嵌合部２２が形成され、他端側には嵌合覆部２３が形成されており、嵌合部２２を嵌合覆部２３で覆うようにして互いを連結できるようになっている。嵌合覆部２３は、嵌合部２２の凹溝２７及び先細部２６を覆う蓋部２８と、蓋部２８の先端部から延びる係止部２９を備えている。嵌合覆部２３の係止部２９を嵌めこんで弾性的に嵌合部２２の拡大部２５に係止することにより、嵌合覆部２３を嵌合部２２に嵌めることができる。これにより、複数枚の断熱パネルＰを容易に幅方向に連結できる。
【００２０】
＜断熱パネルの敷設方法＞
次に、断熱パネルＰの敷設方法について説明する。図３は、大型の建築物の一例を示す斜視図である。本発明の断熱パネル敷設方法は、このような大型の建築物の屋根に断熱パネルＰを敷設するためのものである。屋根が傾斜方向に長い場合、断熱パネルＰの長さが足りないため、複数枚の断熱パネルＰを長尺方向に隣接させて屋根に敷設する必要がある。図３の例では、２枚の断熱パネルＰを長尺方向に隣接させて敷設している。
【００２１】
本発明の断熱パネル敷設方法は、第１の断熱パネルを長尺方向が屋根の傾斜方向に向くように敷設する工程と、第２の断熱パネルの断熱材を長尺方向一端側から他端側へ向かって所定長さだけ除去して、面材の長尺方向一端側が断熱材の端縁よりも延出した延出部を形成する工程と、第２の断熱パネルの延出部を第１の断熱パネルに重ねる際に延出部と干渉する第１の断熱パネルの干渉部を圧縮する工程と、第２の断熱パネルの延出部を第１の断熱パネルに重ねるようにして、第１の断熱パネルより傾斜方向上側に第２の断熱パネルを敷設する工程と、を有するものである。図４に断熱パネルＰを屋根に敷設する工程を模式的に示す。
【００２２】
初めに、図４（ａ）に示すように、第１の断熱パネルＰ１を長尺方向が屋根９の傾斜方向に向くように敷設する。第１の断熱パネルＰ１は、屋根９の傾斜方向の下側に配置される。第１の断熱パネルＰ１は、ビスを嵌合部２２の凹溝２７に打ち込むことで固定される。
【００２３】
次いで、図４（ｂ）に示すように、第２の断熱パネルＰ２の硬質ウレタンフォーム１を長尺方向一端側から他端側へ向かって所定長さだけ除去して、面材２の長尺方向一端側が硬質ウレタンフォーム１の端縁よりも延出した延出部２０を形成する。この延出部２０を形成する工程は、断熱パネルを敷設する前に工場等で予め行っておくことが好ましい。
【００２４】
次いで、第２の断熱パネルＰ２の延出部２０を第１の断熱パネルＰ１に重ねる際に延出部２０と干渉する第１の断熱パネルＰ１の干渉部を圧縮する。具体的には、図５（ａ）に示すように、第２の断熱パネルＰ２の延出部２０を第１の断熱パネルＰ１の面材２に重ねる際、第１の断熱パネルＰ１の拡大部２５が第２の断熱パネルＰ２の立ち上がり部２４と干渉する。そのため、図５（ｂ）に示すように、第２の断熱パネルＰ２の延出部２０が重なる領域において、第１の断熱パネルＰ１の一対の拡大部２５の間隔が一対の立ち上がり部２４の間隔よりも狭くなるように一対の拡大部２５を内側へ圧縮する。これにより、図５（ｃ）に示すように、第２の断熱パネルＰ２の延出部２０を第１の断熱パネルＰ１に重ねる際、第１の断熱パネルＰ１の拡大部２５が第２の断熱パネルＰ２の立ち上がり部２４と干渉しなくなり、第１の断熱パネルＰ１の面材２と第２の断熱パネルＰ２の面材２との隙間を無くすことができる。この干渉部を圧縮する工程も、断熱パネルを敷設する前に工場等で予め行っておくことが好ましい。
【００２５】
最後に、図４（ｃ）に示すように、第２の断熱パネルＰ２の延出部２０を第１の断熱パネルＰ１に重ねるようにして、第１の断熱パネルＰ１より傾斜方向上側に第２の断熱パネルＰ２を敷設する。このとき、第１の断熱パネルＰ１の硬質ウレタンフォーム１と第２の断熱パネルＰ２の硬質ウレタンフォーム１との間に可能な限り隙間が生じないように第２の断熱パネルＰ２を配置する。第２の断熱パネルＰ２は、ビスを嵌合部２２の凹溝２７に打ち込むことで固定される。
【００２６】
＜他の実施形態＞
本発明は前述した実施形態に何ら限定されるものではなく、本発明の趣旨を逸脱しない範囲内で種々の改良変更が可能である。
【００２７】
（１）本発明において、第１の断熱パネルＰ１の一対の拡大部２５を圧縮する前に、第１の断熱パネルＰ１の立ち上がり部２４に繋がる波型形状部２１とその波型形状部２１に接着されている硬質ウレタンフォーム１とを剥離することが好ましい。より具体的には、立ち上がり部２４に繋がる波型形状部２１の谷底部２１ｃ及びこの谷底部２１ｃに繋がる傾斜部２１ｄと、その谷底部２１ｃ及び傾斜部２１ｄに接着されている硬質ウレタンフォーム１とを剥離することが好ましい。
【００２８】
（２）前述の実施形態では、面材２に形成された波型形状部２１は、角波形状をしているが、角のない丸波形状など種々の形状を採用することができる。
【符号の説明】
【００２９】
１      硬質ウレタンフォーム
２      面材
２０      延出部
Ｐ      断熱パネル
Ｐ１    第１の断熱パネル
Ｐ２    第２の断熱パネル
【図１】
0006465642.tif 000002
【図２】
0006465642.tif 000003
【図３】
0006465642.tif 000004
【図４】
0006465642.tif 000005
【図５】
0006465642.tif 000006